(57)【要約】【課題】  基板とマスクとのアライメント工程の後、基板をマスクに載置する際に生じる相対位置ずれの再現性を高めせ、アライメント精度を向上させる。【解決手段】  基板を保持する基板保持部が、基板の対向する一対の辺がそれぞれ載置される一対の受け爪と、それぞれの前記受け爪と対向して設けられた一対のクランプユニットとを有し、前記一対のクランプユニットは、基板の対向する一対の辺のうち一方の辺が載置される受け爪と対向する第１のクランプユニットと、他方の辺が載置される受け爪と対向する第２のクランプユニットとで構成され、前記第１のクランプユニットと前記基板との間に生じる摩擦力が、前記第２のクランプユニットと前記基板との間に生じる摩擦力よりも小さいことを特徴とする。【選択図】  図７
2019019369.tif 000002
【特許請求の範囲】
【請求項１】
基板を保持する基板保持部が、基板の対向する一対の辺がそれぞれ載置される一対の受け爪と、それぞれの前記受け爪と対向する一対のクランプユニットとを有し、
前記一対のクランプユニットは、基板の対向する一対の辺のうち一方の辺が載置される受け爪と対向する第１のクランプユニットと、他方の辺が載置される受け爪と対向する第２のクランプユニットとで構成され、
前記第１のクランプユニットと前記基板との間に生じる摩擦力が、
前記第２のクランプユニットと前記基板との間に生じる摩擦力よりも小さいこと
を特徴とするアライメント装置。
【請求項２】
前記第１および第２クランプユニットはそれぞれ複数のクランプを有しており、
前記第１クランプユニットに含まれるクランプが前記基板に接する部分の面積が、
前記第２クランプユニットに含まれるクランプが前記基板に接する部分の面積よりも小さいこと
を特徴とする請求項１に記載のアライメント装置。
【請求項３】
前記第１クランプユニットに含まれるクランプの前記基板と接する部分が半球形状を有しており、
前記第２クランプユニットに含まれるクランプの前記基板と接する部分が平面である形状を有していること
を特徴とする請求項２に記載のアライメント装置。
【請求項４】
前記第１クランプユニットに含まれるクランプと前記第２クランプユニットに含まれるクランプとは同じ形状を有しており、
前記第１クランプユニットに含まれるクランプと前記基板との間の摩擦係数が、
前記第２クランプユニットに含まれるクランプと前記基板との間の摩擦係数よりも小さいこと
を特徴とする請求項１に記載のアライメント装置。
【請求項５】
前記第１クランプユニットに含まれるクランプと前記基板とが接する部分に、前記基板との摩擦係数が小さい材料が配置されていること
を特徴とする請求項４に記載のアライメント装置。
【請求項６】
マスクを載置するマスク保持部と、
前記受け爪に載置された基板の位置と前記マスク保持部に載置されたマスクの位置とを計測する計測手段と、
前記駆動部を制御する制御部と、
を有しており、
前記制御部が、前記計測手段から取得した前記基板の位置と前記マスクの位置とに基づいて、前記基板保持部と前記マスク保持部との相対位置を制御すること
を特徴とする請求項１から３のいずれか１項に記載のアライメント装置。
【請求項７】
前記基板保持部が矩形の基板を保持するものであって、
前記受け爪および前記クランプが、前記矩形の基板の長辺に沿って配設されていること
を特徴とする請求項１から４のいずれか１項に記載のアライメント方装置。
【請求項８】
成膜チャンバと、
前記成膜チャンバの内部に、基板を保持する基板保持部とマスクを保持するマスク保持部と、を備えるアライメント装置と、
を有する成膜装置であって、
基板を保持する基板保持部が、
基板の対向する一対の辺がそれぞれ載置される一対の受け爪と、
それぞれの前記受け爪と対向して設けられた一対のクランプユニットとを有し、
前記一対のクランプユニットは、基板の対向する一対の辺のうち一方の辺が載置される受け爪と対向する第１のクランプユニットと、他方の辺が載置される受け爪と対向する第２のクランプユニットとで構成され、
前記第１のクランプユニットと前記基板との間に生じる摩擦力が、
前記第２のクランプユニットと前記基板との間に生じる摩擦力よりも小さいこと
を特徴とする成膜装置。
【請求項９】
前記第１および第２クランプユニットはそれぞれ複数のクランプを有しており、
前記第１クランプユニットに含まれるクランプが前記基板に接する部分の面積が、
前記第２クランプユニットに含まれるクランプが前記基板に接する部分の面積よりも小さいこと
を特徴とする請求項８に記載の成膜装置。
【請求項１０】
前記第１クランプユニットに含まれるクランプの前記基板に接する部分が半球形状を有しており、
前記第２クランプユニットに含まれるクランプの前記基板と接する部分が前記基板と平面で接する形状を有していること
を特徴とする請求項９に記載の成膜装置。
【請求項１１】
前記第１クランプユニットに含まれるクランプと前記第２クランプユニットに含まれるクランプとは同じ形状を有しており、
前記第１クランプユニットに含まれるクランプと前記基板との間の摩擦係数が、
前記第２クランプユニットに含まれるクランプと前記基板との間の摩擦係数よりも小さいこと
を特徴とする請求項８に記載の成膜装置。
【請求項１２】
前記基板保持部に載置された基板の位置と前記マスク保持部に載置されたマスクの位置とを計測する計測手段と、
前記アライメント装置を制御する制御部と、
を有しており、
前記制御部が、前記計測手段から取得した前記基板の位置と前記マスクの位置とに基づいて、
前記基板保持部と前記マスク保持部との相対位置を制御すること
を特徴とする請求項８から１１のいずれか１項に記載の成膜装置。
【請求項１３】
前記基板保持部が矩形の基板を保持するものであって、
前記受け爪および前記クランプが、前記矩形の基板の長辺に沿って配設されていること
を特徴とする請求項８から１２のいずれか１項に記載の成膜装置。
【請求項１４】
前記基板に成膜するための成膜源が設置されることを特徴とする請求項８から１３のいずれか１項に記載の成膜装置。
【請求項１５】
前記成膜源が蒸着源であることを特徴とする請求項１４に記載の成膜装置。
【請求項１６】
基板とマスクとのアライメント方法であって、
前記基板とマスクとの相対位置を調整するアライメント工程と、
前記基板と前記マスクとを相対的に近づけ、前記基板を前記マスクの上に載置する載置工程と、
を有しており、
前記アライメント工程および前記載置工程が、
前記基板の対向する一対の辺のうち一方を固定する力が、他方の辺を固定する力よりも弱い状態で行われること
を特徴とするアライメント方法。
【請求項１７】
成膜方法であって、
前記請求項１５に記載のアライメント方法を用いて基板をマスクの上に載置する工程と、
前記基板上に、前記マスクを介して成膜を行う成膜工程と、
を有することを特徴とする成膜方法。
【請求項１８】
電子デバイスの製造方法であって、
前記請求項１５のいずれか１項に記載のアライメント方法により、基板をマスクの上に載置する工程と、
前記基板の上に前記マスクを介して成膜を行う成膜工程と、
を有することを特徴とする電子デバイスの製造方法。
【請求項１９】
前記成膜工程において、蒸着法を用いて有機膜が成膜されること
を特徴とする請求項１８に記載の電子デバイスの製造方法。
【発明の詳細な説明】
【技術分野】
【０００１】
本発明は、アライメント装置と、それを備える成膜装置に関する。
【背景技術】
【０００２】
有機ＥＬ素子などの電子デバイスの製造では、ガラス基板（以下、単に基板と表記する）の被成膜面を下向きにして水平に保持し、基板上に形成する膜のパターンに応じた開口を有するマスクを用いた成膜が行われている。基板の被成膜面を下向きにして成膜を行う場合、なるべく成膜を妨げないよう基板は端部で支持されるため、基板の中央部が自重で下方に凸形状に撓んだ状態となる。
【０００３】
基板の所定位置に膜を形成するために、基板とマスクとの相対位置合わせ（アライメント）が行われる。具体的には、基板とマスクとが接触しない位置関係に配置して、撮像装置を用いて基板のアライメントマークとマスクのアライメントマークとの位置合わせが行われた後、基板とマスクとを近づけ、マスクの上に基板が載置される。この状態で基板のアライメントマークとマスクのアライメントマークとのずれ量が所定の範囲内に収まると、アライメントは完了する。
【０００４】
特許文献１には、被成膜面である一主面の縁で支持された基板に、他主面の全域を覆う状態で基板押さえ部を載置するアライメント装置が開示されている。このように基板を保持することにより、基板押さえ部のマス（重力または慣性）を利用したアライメントが可能となり、基板が暴れてしまう現象を回避でき、基板の位置ずれを防止することができると記載されている。
【先行技術文献】
【特許文献】
【０００５】
【特許文献１】特開２００８−７８５７号公報
【発明の概要】
【発明が解決しようとする課題】
【０００６】
特許文献１によれば、基板押さえ部によって基板の端部が押さえられることにより、梃子の原理によって基板のたわみ量が低減され、基板とマスクのアライメントマークを同時に計測することが可能となる。
【０００７】
しかし、基板の撓みは、低減できても無くすことはできない。そのため、アライメントの後に、基板をマスクに接触させるため基板とマスクとを互いに近づけていくと、まず撓んだ中央部がマスクに接触し、次いで中央部の周辺に向かって接触領域が拡大して略全面が接触することになる。すると、基板中央部の基板とマスクとの接触領域に基板とマスクとの間に生じる摩擦力による拘束と、基板端部の受け爪および基板押さえ部との接触部分に生じる摩擦力による拘束とによって、基板の自由な動きが妨げられる。そのような状態で、さらに基板とマスクとを近づけていくと、マスクの形状に合わせて基板の形状が変化し、基板には大きな歪が生じる。そして、基板の歪みがある程度大きくなると、拘束力の弱い箇所で解消され、基板とマスクとの相対位置がずれる。
【０００８】
基板とマスクとの相対位置ずれの大きさや方向が一定であれば、相対位置ずれを考慮してアライメントを行うことができる。しかし、個性や基板を保持する位置の微妙な変化に起因して、アライメントの度に撓みの形状は異なる。特許文献１では個々の基板の撓み形状のついては考慮されていないため、アライメント毎に基板とマスクとの相対位置ずれの方向や大きさが異なってしまい、相対位置ずれを考慮したアライメントを行うのは困難である。
【０００９】
そこで、本発明は、自重によって撓んだ状態の基板をマスクに載置する際に生じる、基板とマスクとの相対位置ずれの再現性を向上させ、精度の高いアライメントを実現することを目的とする。
【課題を解決するための手段】
【００１０】
上記課題を解決するため、本発明にかかるアライメント装置は、基板を保持する基板保持部が、基板の対向する一対の辺がそれぞれ載置される一対の受け爪と、それぞれの前記受け爪と対向して設けられた一対のクランプユニットとを有し、前記一対のクランプユニットは、基板の対向する一対の辺のうち一方の辺が載置される受け爪と対向する第１のクランプユニットと、他方の辺が載置される受け爪と対向する第２のクランプユニットとで構成され、前記第１のクランプユニットと前記基板との間に生じる摩擦力が、前記第２のクランプユニットと前記基板との間に生じる摩擦力よりも小さいことを特徴とする。
【発明の効果】
【００１１】
本発明によれば、基板をマスクに載置する際の相対位置ずれの再現性を高め、アライメント精度を向上させることができる。
【図面の簡単な説明】
【００１２】
【図１】成膜装置の構成を模式的に示す断面図である。
【図２】アライメント機構の一形態を示す斜視図、基板の挟持機構を備えた基板保持ユニットの斜視図である。
【図３】回転並進機構１１の一形態を示す斜視図である。
【図４】（ａ）は、基板の挟持機構を備えた基板保持ユニットの斜視図、（ｂ）（ｃ）は基板保持部８の、基板を保持している部分を拡大した図である。
【図５】（ａ）は基板保持部に保持されている状態の基板５を上から見た図、（ｂ）はマスクを上面から見た図、（ｃ）はファインカメラによって、１組のマスクマークと基板マークを計測した際の視野をイメージする図である。
【図６】アライメントシーケンスを示すフローチャートである。
【図７】本発明にかかるアライメント装置で基板５を保持して基板をマスクに載置する様子を示す図である。
【図８】（ａ）は有機ＥＬ表示装置の全体図、（ｂ）は１画素の断面構造を示す図である。
【図９】電子デバイスの製造装置の構成の一部を模式的に示す上視図である。
【発明を実施するための形態】
【００１３】
以下、図面を参照しつつ本発明の好適な実施形態を説明する。ただし、以下で説明する実施形態は本発明の好ましい構成を例示的に示すものにすぎず、本発明の範囲をそれらの構成に限定されない。以下の説明における、装置のハードウェア構成及びソフトウェア構成、処理フロー、製造条件、寸法、材質、形状などは、特定的な記載がないかぎりは、本発明の範囲をそれらのみに限定するものではない。
【００１４】
本発明は、アライメント装置、および前記アライメント装置を備え、前記基板上に薄膜を形成する成膜装置に関する。
【００１５】
本発明は、平行平板のガラス基板の表面に真空蒸着により所望のパターンの薄膜（材料層）を形成する装置に好ましく適用できる。蒸着材料としては、有機材料、無機材料（金属、金属酸化物など）などの任意の材料を選択できる。本発明の技術は、具体的には、電子デバイス（例えば、有機ＥＬ表示装置、薄膜太陽電池）の製造装置に適用可能である。なかでも、主に被成膜基板としてガラス基板が用いられ、基板の大型化が進められている有機ＥＬ表示装置の製造装置は、本発明の好ましい適用例の一つである。
【００１６】
（アライメント装置および成膜装置）
本発明の実施形態に係るアライメント装置およびそれを備える成膜装置を、図面に基づき説明する。同一もしくは対応する部材を複数有する場合、図面中にａ、ｂなどの添え字を付与しているが、特定の部材を指す場合を除いて、ａ、ｂなどの添え字を省略して説明する。
【００１７】
本発明にかかるアライメント装置を備えた成膜装置の概念図を図１に示す。
【００１８】
成膜装置は、基板５に成膜材料を形成するための成膜空間２を有する成膜チャンバ４、基板５を成膜チャンバ４内に搬入／搬出するためのゲートバルブ１５、基板５およびマスク６を保持して相対位置合わせを行うアライメント装置１を備えている。成膜チャンバ１の成膜空間２には、成膜材料を備える成膜源（蒸着源）７を設置するための機構が設けられている。図１には、蒸着装置を示しているが、本発明にかかるアライメント装置は、スパッタリング法やＣＶＤ法など、蒸着法以外の成膜方法を用いる成膜装置にも適用することが可能である。
【００１９】
アライメント装置１は、成膜チャンバ４の上部隔壁（天板）３の上に搭載されており、駆動部を備える位置決め機構と、基板保持部８と、マスク保持部９とを有している。位置決め機構は、ＸＹθｚ方向に駆動する回転並進機構１１と、Ｚ昇降ベース１３と、Ｚ昇降ベース１３の側面に固定されるＺガイド１８に沿って移動するＺ昇降スライダ１０を含んでおり、成膜チャンバ２の外側に設けられている。可動部を多く含む位置決め機構を成膜空間の外に配置することで、成膜空間内の発塵を抑制することができる。
【００２０】
Ｚ昇降スライダ１０には、基板保持シャフト１２が固定されている。基板保持シャフト１２は、成膜チャンバ４の上部隔壁３に設けられた貫通穴１６を介して、成膜チャンバ４の外部と内部にわたって設けられている。そして、成膜空間２において、基板保持シャフト１２の下部に基板保持部８が設けられ、被成膜物である基板５を保持することが可能となっている。
【００２１】
基板保持シャフト１２と上部隔壁３とが干渉することのないよう、貫通穴１６は基板保持シャフト１２の外径に対して十分に大きく設計される。また、基板保持シャフト１２は、貫通穴１６を通り、成膜チャンバ４の外側のＺ昇降スライダ１０に固定されるまでの間、Ｚ昇降スライダ１０と上部隔壁３とに端部が固定されたベローズ４０によって覆われる。つまり、基板保持シャフト１２は、成膜チャンバ４と連通する閉じられた空間によって覆われるため、基板保持シャフト１２全体を成膜空間２と同じ状態（例えば、真空状態）に保つことができる。ベローズ４０には、Ｚ方向およびＸＹ方向にも柔軟性を持つものを用いるとよい。アライメント装置１の稼働によってベローズ４０が変位した際に発生する抵抗力を十分に小さくすることができ、位置調整時の負荷を低減することができる。マスク保持部９は、成膜チャンバ４の内部において、上部隔壁３の成膜空間側の面に設置されており、マスクを保持することが可能となっている。有機ＥＬパネルの製造に広く用いられるマスク６は、成膜パターンに応じた開口を有するマスク箔６ａが、剛性の高いマスク枠６ｂに架張された状態で固定された構成を有しており、マスク６は撓みの小さい状態で保持される。
【００２２】
位置決め機構、基板保持機構８、成膜源の一連の動作は、制御部５０によって制御される。制御部５０は、例えば、プロセッサ、メモリ、ストレージ、Ｉ／Ｏなどを有するコンピュータにより構成可能である。この場合、制御部２７０の機能は、メモリ又はストレージに記憶されたプログラムをプロセッサが実行することにより実現される。コンピュータとしては、汎用のパーソナルコンピュータを用いてもよいし、組込型のコンピュータ又はＰＬＣ（ｐｒｏｇｒａｍｍａｂｌｅ  ｌｏｇｉｃ  ｃｏｎｔｒｏｌｌｅｒ）を用いてもよい。あるいは、制御部５０の機能の一部又は全部をＡＳＩＣやＦＰＧＡのような回路で構成してもよい。
【００２３】
次にアライメント装置１の位置決め機構の詳細について、図２を用いて説明する。
【００２４】
図２は、アライメント装置１の一形態を示す斜視図である。Ｚ昇降スライダ１０を鉛直Ｚ方向に案内するガイドは、複数本のＺガイド１８ａ〜１８ｄを含んでおり、Ｚ昇降ベース１３の側面に固定されている。Ｚ昇降スライダ中央には駆動力を伝達するためのボールネジ２０が配設され、Ｚ昇降ベース１３に固定されたモータ１９から伝達される動力が、ボールネジ２０を介してＺ昇降スライダ１０に伝えられる。
【００２５】
モータ１９は不図示の回転エンコーダを内蔵しており、エンコーダの回転数により間接的にＺ昇降スライダ１０のＺ方向位置を計測することが可能となっている。従って、モータ１９の駆動をエンコーダによる計測値に基づいて制御すれば、Ｚ昇降スライダ１０のＺ方向の精密な位置決めを行うことができる。なお、Ｚ昇降スライダ１０の昇降機構は、ボールネジ２０と回転エンコーダに限定されるものではなく、リニアモータとリニアエンコーダの組み合わせなど、公知の機構を採用することができる。
【００２６】
図３は、回転並進機構１１の一形態を示す斜視図である。Ｚ昇降スライダ１０およびＺ昇降ベース１３が回転並進機構１１の上に配設されており、Ｚ昇降ベース１３とＺ昇降スライダ１０の全体を、ＸＹθｚ方向に駆動させることが可能となっている。
【００２７】
回転並進機構１１は複数の駆動ユニット２１ａ〜２１ｄを有している。図３の構成では、駆動ユニット２１ａ〜２１ｄは、それぞれベースの四隅に配置されており、隣接する隅に配置された駆動ユニットをＺ軸周りに９０度回転させた向きに配置されている。
【００２８】
各駆動ユニット２１は、駆動力を発生させるモータ４１を備えている。さらに、モータ４１の力がボールネジ４２を介して伝達されることにより第１の方向にスライドする第１のガイド２２と、ＸＹ平面において第１の方向と直交する第２の方向にスライドする第２のガイド２３とを備えている。さらに、Ｚ軸周りに回転可能な回転ベアリング２４を備えている。例えば、駆動ユニット２１ｃの場合は、Ｘ方向にスライドする第１のガイド２２、Ｘ方向と直交するＹ方向にスライドする第２のガイド２３、回転ベアリング２４を有しており、Ｘモータ４１の力がボールネジ４２を介して第１のガイド２２に伝達される。
【００２９】
モータ４１は不図示の回転エンコーダを内蔵しており、第１のガイド２２の変位量を計測することが可能である。各駆動ユニット２１において、計測した第１のガイド２２の変位量に基づいてモータ４１の駆動を制御部５０で制御することにより、Ｚ昇降ベース１３のＸＹθｚ方向における位置を精密に制御することができる。
【００３０】
Ｚ昇降ベース１３を＋Ｘ方向へ移動させる場合は、駆動ユニット２１ｂと２１ｃのそれぞれにおいて＋Ｘ方向にスライドさせる力をモータ４１で発生させ、Ｚ昇降ベース１３にその力を伝えるとよい。また、＋Ｙ方向へ移動させる場合には、駆動ユニット２１ａと２１ｄのそれぞれにおいて＋Ｙ方向にスライドさせる力をモータ４１で発生させ、Ｚ昇降ベース１３にその力を伝えるとよい。
【００３１】
Ｚ昇降ベース１３を＋θｚ回転（時計周りにθｚ回転）させる場合は、対角に配置された駆動ユニット２１ｃと２１ｂとを用いて、Ｚ軸周りに＋θｚ回転させるために必要な力を発生させ、Ｚ昇降ベース１３にその力を伝えるとよい。あるいは、駆動ユニット２１ａと２１ｄとを用いて、Ｚ昇降ベース１３に回転に必要な力を伝えてもよい。
【００３２】
次に、本発明にかかるアライメント装置１の基板保持部８の詳細な構成について、図４を用いて説明する。図４（ａ）は矩形の基板５を長辺にそって保持した基板保持部８全体を、アライメント装置１側から見た斜視図である。図４（ｂ）、（ｃ）は、基板保持部８が、基板と接する部分を拡大した図であり、それぞれ基板を挟持せずに保持した状態と、基板をクランプ２７で挟持して固定した状態と、を示している。
【００３３】
図４（ａ）〜（ｃ）に示すように、基板保持部８は基板保持シャフト１２ａ〜１２ｄの下部に固定されている。基板保持部８は、基板保持シャフト１２によって位置が制御される保持部ベース２５に設けられた複数の受け爪２６と、受け爪２６と対向して設けられた複数のクランプ２７を有している。  図４には基板５の一方の辺を押圧するクランプ２７しか表されていないが、本発明にかかるアライメント装置では、矩形の基板５の一方の辺に押圧を加えるクランプ２７ａと他方の辺に押圧を加えるクランプ２７ｂの形状が異なっている。具体的には、基板５とクランプ２７ａとの間の摩擦係数が、基板５とクランプ２７ｂとの間の摩擦係数よりも小さくなっている。このような構成とすることによる効果は、後に詳細に説明する。
【００３４】
保持部ベース２５の位置を制御するための基板保持シャフト１２ａ〜１２ｄは、一括して制御される構成でもよいし、基板保持シャフト１２ａと１２ｂと、基板保持シャフト１２ｃ、１２ｄとに分けて、別々に制御される構成となっていてもよい。
【００３５】
クランプ２７は、基板５の第１の主面とは反対側の第２の主面に接して、基板５に対して受け爪２６側に押圧を加える部材である。基板５の縁を受け爪２６とクランプ２７とによって挟み込むことによって、基板の位置を固定し、かつ、基板の撓みを低減した状態で保持することができる。
【００３６】
クランプ２７は、それぞれが個別に設けられた駆動機構によって上下に駆動されてもよいが、ここでは保持部ベース２５ごとに複数のクランプ２７を１つのユニットとし、ユニットごとに駆動機構で駆動する場合について説明する。複数のクランプ２７を含むクランプユニット２８はクランプスライダ３２に固定されており、基板保持部８の保持部ベース２５と保持部上板３５の間に配設されたリニアブッシュ３９によって、クランプスライダ３２がＺ方向にガイドされる。クランプスライダ３２は、上部隔壁３を貫通する駆動シャフト３４を介してＺ昇降スライダ１０に固定される。クランプスライダ３２は駆動シャフト３４を介して電動シリンダ３６の力が伝えられＺ方向に駆動が可能となっている。
【００３７】
クランプ２７の下降し、クランプ２７は受け爪２６上に搭載された基板５の表面に当接すると、受け爪２６とクランプ２７との間で基板５を固定した、図４（ｂ）の状態となる。クランプ２７によって一定の荷重を基板５に付加するため、クランプ２７の上部には保持力（荷重）を発生するためのバネ２９が配設される。なおクランプ２７とバネ２９の間にはロッド３１が存在し、クランプ２７はＺ方向に案内される。バネ２９は荷重調整ネジ３０によってギャップＬを変えることで全長を調整することができる。したがって、バネ２９の押し込み量によって、クランプ２７に発生する押圧も自在に調整可能である。なお、この押圧が数Ｎ〜数１０Ｎ程度あれば、基板５の自重よりも大きい荷重で基板５を押さえることができ、アライメント中に基板がずれるのを抑制することができる。
【００３８】
前述したクランプユニット２８および基板保持部８の構成によれば、基板５を一定の荷重で保持したままアライメント装置１によってＸＹθｚ方向、および、Ｚ方向に移動可能である。
【００３９】
マスク枠６ｂには、基板５をマスク６ａに載置させる際に受け爪２６との干渉を回避するための複数の溝が掘られている。溝と受け爪２６とのクリアランスを数ｍｍ程度設定しておけば、基板５の載置後に受け爪２６がさらに下降しても、マスク枠６ｂと受け爪２６が互いに衝突するのを避けることができる。
【００４０】
次に、基板５とマスク箔６ａとの位置、すなわち、それぞれのアライメントマークの位置を同時に計測するための撮像装置について説明する。図１において上部隔壁３の外側の面には、マスク６上のアライメントマーク（マスクマーク）および基板５上のアライメントマーク（基板マーク）の位置を計測するための撮像装置１４が配設されている。上部隔壁３には、撮像装置１４により成膜チャンバ２内のアライメントマークの位置を計測できるよう、撮像装置の光軸上に貫通穴および窓ガラス１７が設けてある。さらに、撮像装置１４の内部または近傍に不図示の照明を設け、基板マークおよび／またはマスクマーク近傍に光を照射することで、正確なマーク像の計測を可能としている。
【００４１】
図５（ａ）〜（ｃ）を参照し、撮像装置１４を用いて基板マーク３７とマスクマーク３８の位置を計測する方法を説明する。
【００４２】
図５（ａ）は基板保持部８に保持されている状態の基板５を上から見た図である。基板５上には撮像装置１４で計測可能な基板マーク３７ａ〜ｄが基板の４隅に形成されている。この基板マーク３７ａ〜ｄを４つの撮像装置１４によって同時計測し、各基板マークの中心位置である４点の位置関係から、基準位置に対する基板５の並進量、回転量を算出することにより、基板の位置情報を取得することができる。基準位置はあらかじめ設定された任意の位置である。
【００４３】
図５（ｂ）はマスク６を上面から見た図である。マスク箔６ａの四隅には撮像装置で計測可能なマスクマーク３８ａ〜ｄが形成されている。このマスクマーク３８ａ〜ｄを４つの撮像装置１４ａ〜ｄによって同時計測し、各マスクマークの中心位置である４点の位置関係からマスク６の並進量、回転量などを算出して、基準位置に対するマスクの位置情報を取得することができる。
【００４４】
図５（ｃ）は撮像装置１４によって、１組のマスクマーク３８および基板マーク３７を計測した際の視野４３をイメージする図である。撮像装置１４の視野４３内において、基板マーク３７とマスクマーク３８を同時に計測し、マーク中心同士の相対的な位置を測定することが可能である。マーク中心座標は撮像装置１４の計測によって得られた画像を不図示の画像処理装置を用いることで求めることができる。なお、マスクマーク３８および基板マーク３７の形状として□や○を示したが、これに限らず×や十字など中心位置を算出しやすい、対象性を有する形状を用いることができる。
【００４５】
精度の高いアライメントが求められる場合、撮像装置１４として数μｍのオーダーの高解像度を有する高倍率ＣＣＤカメラ（ファインカメラとも呼ぶ）が用いられる。このような高倍率ＣＣＤカメラは、視野が数ｍｍと狭いため、基板５を受け爪２６に載置した状態のずれが大きいと、基板マーク３７が視野から外れてしまい、計測不可能となる。そこで、撮像装置１４として、高倍率ＣＣＤカメラと併せて広い視野をもつ低倍率ＣＣＤカメラ（ラフカメラとも呼ぶ）を併設するのが好ましい。マスクマーク３８と基板マーク３７が同時に高倍率ＣＣＤカメラの視野に収まるよう、ラフカメラを用いて大まかなアライメントを行った後、高倍率ＣＣＤカメラを用いて高い精度で位置計測を行うことができる。
【００４６】
撮像装置１４によって取得したマスク６の位置情報および基板５の位置情報から、マスク６と基板５との相対位置情報を取得することができる。この相対位置情報を、アライメント装置の制御部５０にフィードバックし、昇降スライダ１０、回転並進機構１１、基板保持部８それぞれの駆動量を制御する。撮像装置１４として高倍率ＣＣＤカメラを用いることにより、マスク６と基板５の相対位置を数μｍの精度で調整することができる。
【００４７】
マスク６と基板５のアライメントが完了した後は、成膜空間２に配置された蒸着源７から成膜材料の蒸気を放出させ、成膜工程を開始すればよい。
【００４８】
（アライメント方法）
本発明にかかるアライメント装置を用いたアライメント方法について、図６を参照して説明する。図６は、撮像装置１４として高倍率ＣＣＤカメラと低倍率ＣＣＤカメラを設置した場合の、本発明にかかるアライメントシーケンスを示すフローチャートである。マスク保持部には、あらかじめマスクが設定してあるものとする。
【００４９】
まず、基板５が、ゲートバルブ１５から不図示のロボットハンドに搭載して搬入され、被成膜面である第１の主面が接するように受け爪２６上に載置される（Ｓ１０１）。
【００５０】
基板５が受け爪２６の上に載置されると、電動シリンダ３６から発生する力が駆動シャフト３４を介してクランプスライダ３２に伝えられ、クランプスライダ３２がＺ方向に駆動する。すると、クランプスライダ３２に取り付けられたクランプユニット２８が下降して基板５に接触し、受け爪２６との間に基板５を挟み込んで（クランプして）、保持する（Ｓ１０２）。
【００５１】
次に、ラフカメラで基板マーク３７を計測し、受け爪２６に載置された基板５の位置情報を取得する。初期載置時の位置が、ファインカメラの視野内に基板マーク３７が収まる位置に調整できない程ずれている場合は、ロボットハンドを用いて、ファインカメラの視野に収まる位置に調整可能となるまで基板５を載置しなおす。
【００５２】
ラフカメラによって基板５の基板マーク３７とマスク６のマスクマーク３８とを同時に検出し、基板５とマスク６の相対位置情報を取得する（Ｓ１０３）。ここでいう相対位置情報とは、具体的には、基板マーク３７とマスクマーク３８の中心位置間の距離と位置ずれの方向である。本発明では、基板５をクランプし、基板の撓みが改善された状態を実現しているため、基板マスクが設けられた基板の縁部において、基板マークと一緒にマスクマークを計測することが可能となる。
【００５３】
得られた基板５とマスク６の相対位置情報に基づき、基板５とマスク６の相対位置を調整（アライメント）する。前述の通り、相対位置情報に基づいてアライメント装置１が備える位置決め機構を駆動し、基板５をＸＹθｚ方向およびＺ方向に移動させて位置を調整する（Ｓ１０４）。Ｓ１０３〜Ｓ１０４の工程は、後に行われる、ファインカメラを用いて得られた相対位置情報に基づくファインアライメントに対して、ラフアライメントと呼ばれる。ラフアライメントは、ファインカメラの視野内に基板マークおよびマスクマークを収めるためのアライメントである。
【００５４】
基板５が大型であると、クランプした状態でも自重により数ｍｍ撓んだ状態になる。位置決めの際には、マスク６と基板５が接触して互いに擦れ、基板５の表面、あるいは、すでに形成された膜パターンが破損しないように、マスク６に対して基板５を撓み量以上の十分な高さ（ラフアライメント高さ）に保持しておく。
【００５５】
基板５とマスク６の相対位置が、所定の範囲内に収まるまで基板５の位置が調整できると、ファインカメラ１４の焦点が基板マーク３７に合う高さ（ファインアライメント高さ）になるまで、基板５をマスク６に近づける（Ｓ１０５）。なお、ファインアライメント高さにおいても基板５をマスク６に対して相対的に移動させる必要があるため、基板５とマスク６とが接触しない程度に、ファインアライメント高さを設定しておく必要がある。
【００５６】
Ｓ１０３〜Ｓ１０４であらかじめラフアライメントしておくことにより、ファインカメラによって基板マーク３７とマスクマーク３８とが同じ視野内に収まったファインカメラ画像を取得することができる。取得したファインカメラ画像から、基板マーク３７とマスクマーク３８の中心位置を検出し、数μｍの精度で相対位置情報を取得することができる（Ｓ１０６）。
【００５７】
取得した相対位置情報に含まれる、基板マーク３７とマスクマーク３８の中心位置間の距離、すなわち、相対位置のずれ量を、あらかじめ設定した閾値と比較する（Ｓ１０７）。相対位置のずれ量が閾値を超える場合は、基板５をラフアライメント高さまで上昇させ、Ｓ１０３〜Ｓ１０６を再度行う。閾値は、求められる基板５とマスク６のアライメント精度を達成しうる、数μｍのオーダーで設定される。
【００５８】
Ｓ１０７で、基板マーク３７とマスクマーク３８の中心位置間の距離が閾値以下となったことが確認されると、基板５をマスク６へと近づける（Ｓ１０８）。
【００５９】
基板５とマスク６とが接触し始めると、基板５は、接触部においてマスク６との間に生じる大きな摩擦力によって動きが拘束され、基板５とマスク６とが接触し始めた時の相対位置が維持される。
【００６０】
本発明のアライメント装置では、基板の一対の長辺に押圧を加える一対のクランプユニット２８のうち、一方のクランプユニット２８ａと基板５との間の摩擦力が、他方のクランプユニット２８ｂと基板５との間の摩擦力よりも小さくなっている。具体的には、クランプユニット２８ａに含まれる複数のクランプ２７ａと基板５との間の摩擦力が、クランプユニット２８ｂに含まれる複数のクランプ２７ｂと基板５との間の摩擦力よりも小さくなっている。従って、保持部ベース２５の下降に伴って生じる基板５の歪は、摩擦力すなわち拘束力の弱いクランプユニット２８ａ側で随時解放され、基板５の位置はクランプユニット２８ａ側にずれる。
【００６１】
このように、本発明によれば、基板５をマスク６の上に載置する際に生じる、相対位置からのずれが常に一定の保方向に生じるようにすることができ、基板５をマスク６の上に載置する際に生じる位置ずれを考慮して相対位置を決めることができる。その結果、アライメント動作回数を減らすことができる。
【００６２】
複数のクランプ２７ａ同士、複数のクランプ２７ｂ同士は、互いに同様の構造を有していることが好ましいが、相対位置からのずれ量やずれ方向の再現がとれるのであれば、それには限定されない。
【００６３】
クランプユニット２８のクランプ面が、マスク枠６ｂの上面よりも低くなる位置まで保持部ベース２５を降下させると、基板５を、基板保持部８からマスク６の上へと載置することができる（Ｓ１０９）。
【００６４】
基板５のマスク６上へ載置が完了すると、ファインカメラで基板マーク３７およびマスクマーク３８を撮像し、基板５とマスク６との相対位置情報を取得する（Ｓ１１０）。相対位置情報の取得方法は、Ｓ１０６と同様である。
【００６５】
相対位置のずれ量が閾値以下か否か確認され（Ｓ１１１）、ずれ量が閾値以下であるとアライメントシーケンスは完了する。Ｓ１１１で相対位置のずれ量が閾値を超えている場合は、再度アライメントシーケンスをやり直す。具体的には、クランプユニット２８ａ、２８ｂの受け受け爪２６をマスク枠６ｂの高さまで上昇させ、基板５がマスクの上から基板保持部の上に載置された時点でクランプ２７を下降させて基板をクランプ状態とする。そして、ラフアライメント高さまで基板５を上昇させ、Ｓ１０３〜Ｓ１１１の工程を行って、基板５とマスク６との位置合わせを再度実施する。Ｓ１１１におけるずれ量の閾値は、成膜に求められる精度に応じて決めるとよい。
【００６６】
図７に、本発明の一実施形態であるアライメント装置と、それを用いたアライメント動作によって生じる基板５のずれについて説明する。図７（ａ）〜（ｄ）はいずれも、基板５の長辺に平行な方向から、アライメント装置を見た図を示している。図面上、基板５の対向する長辺のうち一方の辺が載置される受け爪２６ａと対向するクランプユニット２８ａ（第１のクランプユニット）を、クランプユニット２８ａに含まれる１つのクランプ２７ａで表している。同様に、基板５の対向する長辺のうち他方の辺が載置される受け爪２６ｂと対向するクランプユニット２８ｂ（第２のクランプユニット）を、クランプユニット２８ｂに含まれる１つのクランプ２７ｂで表している。
【００６７】
図７（ａ）は、図６のＳ１０７で基板５とマスク６位置ずれ量が閾値以下となった状態に対応している。本実施形態のアライメント装置は、クランプ２７ａとクランプ２７ｂとが互いに異なった形状を有している。クランプ２７ａは基板５に押圧を加える部分が半球形状を有しており、基板５と点接触するため接触面積が小さい構造を有している。一方、クランプ２７ｂが基板５に押圧を加える部分が平面である形状を有し、基板５と面接触するため、クランプ２７ａに比べて接触面積が十分大きい構造を有している。
【００６８】
クランプ２７ａ、２７ｂの基板と接する部材の材質が同じで、かつ、クランプ２７ａ、２７ｂと接する基板５の表面が同じ状態であるとすると、基板５とクランプ２７ａとの間の摩擦力は、基板５とクランプ２７ａとの間の摩擦力よりも小さくなる。
【００６９】
図７（ｂ）は、クランプ２７ａ、２７ｂで基板５に押圧を加えた状態で、基板５をマスク６に近接させた様子（図６のＳ１０８に対応）を示している。基板５の中央部は自重で撓んでいるため、基板５と中央部がまず接触を開始する。この時、接触による反力がクランプ２７ａ、２７ｂに伝わる。前述の通り、基板５とクランプ２７ａとの間の摩擦力Ｆａは、基板５とクランプ２７ｂとの間の摩擦力Ｆｂより小さくなっているため、基板５の反力を受けると摩擦力の小さいクランプ２７ａ側（白抜きの矢印の方向）に基板５がずれる。
【００７０】
図７（ｃ）は基板５がマスク６に載置された状態を示している。基板５はマスク６にならって伸びきった状態となっており、図６のＳ１０９の状態に対応している。そして、図７（ｄ）のようにクランプの押圧を解除し、さらに基板保持部８全体を下降させることで、基板５を基板保持部８からマスク６の上への載置が完了する。この後、基板とマスクとの相対位置が閾値以下であることが確認され（図６のＳ１１１に対応）、アライメント動作が完了する。装置位置が閾値を超える場合は、Ｓ１０３に戻る再びラフアライメントおよびファインアライメントが行われる。
【００７１】
以上説明した様に、従来の構成では、基板５に押圧を加えるクランプが同じ形状であったため、アライメント毎に歪みが解消される位置が異なり、基板とマスクとの相対位置ずれの方向や大きさが一定ではなかった。その結果、基板５をマスク６に載置する際の相対位置ずれを予測できず、基板５とマスク６の位置合わせ精度が悪化しり、アライメントに長い時間が必要となっていた。
【００７２】
しかし、本発明を適用することで、基板５をスク６に載置する際の相対位置ずれが一定の方向に制御されるため、相対位置ずれの再現性が高まり、基板５とマスク６の位置合わせ精度が向上し、アライメントに要する時間を短縮することが可能となる。
【００７３】
なお、図７に示した実施形態では、クランプ２７が基板を押圧する部分の形状を、クランプ２７ａで半球形状、クランプ２７ｂで平面形状にして、基板５との間に生じる摩擦力に大小関係ができるようにしていたが、この形状の限定されるものではない。クランプ２７ａとクランプ２７ｂとの間で、基板５との間に生じる摩擦力の大小関係が実現できれば、どのような形状であっても良い。例えば、クランプ２７ａが基板を押圧する部分に溝を切って接触面積が小さいクランプで摩擦力の小さい形状とし、クランプ２７ａが基板を押圧する部分をのこぎり状やエンボス状にして基板との接触を増やし摩擦力の大きい形状としてもよい。また摩擦力の大小関係が実現する方法としては、クランプ２７の押圧部分の形状に限定されるものではない。例えば、クランプ２７ａとクランプ２７ｂの形状を同じにし、クランプ２７ａと基板５と接触部に摩擦係数を低減するフッ素系樹脂などを配して、材料によって摩擦力に差を付けるような工夫をしてもよい。
【００７４】
（デバイスの製造）
本発明にかかるアライメント装置１を用いた基板５とマスク６とのアライメントが完了すると、成膜工程を含むデバイスの製造工程が実施される。ここでは、本実施形態の成膜装置を用いた電子デバイスの製造方法の一例として有機ＥＬ装置の製造方法を説明する。
【００７５】
まず、製造する有機ＥＬパネルについて説明する。図８（ａ）は有機ＥＬ表示装置６０の全体図、図８（ｂ）は１画素の断面構造を表している。
【００７６】
図８（ａ）に示すように、有機ＥＬパネル６０の表示領域６１には、発光素子を複数備える画素６２がマトリクス状に複数配置されている。詳細は後で説明するが、発光素子のそれぞれは、一対の電極に挟まれた有機層を備えた構造を有している。なお、ここでいう画素とは、表示領域６１において所望の色を表示することができる最小単位を指す。
【００７７】
本実施例にかかる有機ＥＬパネルの場合、互いに異なる発光を示す第１発光素子６２Ｒ、第２発光素子６２Ｇ、第３発光素子６２Ｂの組合せが画素６２に含まれる。一般に、画素６２には、赤色発光素子と緑色発光素子と青色発光素子が含まれることが多いが、黄色発光素子とシアン発光素子と白色発光素子が含まれてもよく、特に制限されるものではない。
【００７８】
図８（ｂ）は、図８（ａ）のＡ−Ｂ線における部分断面模式図である。画素６２は、基板６３上に、第１電極（陽極）６４と、正孔輸送層６５と、発光層６６Ｒ，６６Ｇ，６６Ｂのいずれかと、電子輸送層６７と、第２電極（陰極）６８と、を備える有機ＥＬ素子を有している。これらのうち、正孔輸送層６５、発光層６６Ｒ，６６Ｇ，６６Ｂ、電子輸送層６７が有機層に当たる。また、本実施形態では、発光層６６Ｒは赤色を発する有機ＥＬ層、発光層６６Ｇは緑色を発する有機ＥＬ層、発光層６６Ｂは青色を発する有機ＥＬ層である。発光層６６Ｒ，６６Ｇ，６６Ｂは、それぞれ赤色、緑色、青色を発する発光素子（有機ＥＬ素子と記述する場合もある）に対応するパターンに形成されている。また、第１電極６４は、発光素子ごとに分離して形成されている。正孔輸送層６５と電子輸送層６７と第２電極６８は、複数の発光素子６２と共通で形成されていてもよいし、発光素子ごとに形成されていてもよい。ここでは、第１電極６４を陽極、第２電極を陰極としたが、第１電極６４を陰極、第２電極を陽極としてもよい。その場合、正孔輸送層６５と電子輸送層６７の積層順を逆にするとよい。
【００７９】
第１電極６４と第２電極６８とが異物によってショートするのを防ぐために、第１電極６４間に絶縁層６９が設けられている。さらに、有機ＥＬ層は水分や酸素によって劣化するため、水分や酸素から有機ＥＬ素子を保護するための保護層７０が設けられている。
【００８０】
有機ＥＬ層を発光素子単位に形成するためには、マスクを介して成膜する方法が用いられる。近年、表示装置の高精細化が進んでおり、有機ＥＬ層の形成には開口の幅が数十μｍのマスクが用いられる。このようなマスクを用いた成膜には本発明にかかるアライメント装置１を備える成膜装置（真空蒸着装置）が好適に用いられる。
【００８１】
次に、有機ＥＬパネルの製造方法の例について具体的に説明する。
【００８２】
まず、有機ＥＬパネルを駆動するための回路（不図示）および第１電極６４が形成された基板６３を準備する。
【００８３】
第１電極６４が形成された基板６３の上にアクリル樹脂をスピンコートで形成し、アクリル樹脂をリソグラフィ法により、第１電極６４が形成された部分に開口が形成されるようにパターニングし絶縁層６９を形成する。この開口部が、発光素子が実際に発光する発光領域に相当する。
【００８４】
絶縁層６９がパターニングされた基板６３を第１の成膜装置に搬入し、基板保持ユニットにて基板を保持し、正孔輸送層６５を、表示領域の第１電極６４の上に共通する層として成膜する。正孔輸送層６５は真空蒸着により成膜される。実際には正孔輸送層６５は表示領域６１よりも大きなサイズに形成されるため、高精細なマスクは不要である。
【００８５】
次に、正孔輸送層６５までが形成された基板６３を第２の成膜装置に搬入し、基板保持ユニットにて保持する。基板とマスクとのアライメントを行い、基板をマスクの上に載置し、基板６３の赤色を発する素子を配置する部分に、赤色を発する発光層６６Ｒを成膜する。本例によれば、マスクと基板との相対位置を精度よく合わせて重ね合わせることができ、高精度な成膜を行うことができる。
【００８６】
発光層６６Ｒの成膜と同様に、第３の成膜装置により緑色を発する発光層６６Ｇを成膜し、さらに第４の成膜装置により青色を発する発光層６６Ｂを成膜する。発光層６６Ｒ、６６Ｇ、６６Ｂの成膜が完了した後、第５の成膜装置により表示領域６１の全体に電子輸送層６７を成膜する。電子輸送層６７は、３色の発光層６６Ｒ、６６Ｇ、６６Ｂに共通の層として形成される。
【００８７】
電子輸送層６７までが形成された基板をスパッタリング装置に移動し、第２電極６８を成膜し、その後プラズマＣＶＤ装置に移動して保護層７０を成膜して、有機ＥＬ表示装置６０が完成する。
【００８８】
絶縁層６９がパターニングされた基板６３を成膜装置に搬入してから保護層７０の成膜が完了するまでは、水分や酸素を含む雰囲気にさらしてしまうと、有機ＥＬ材料からなる発光層が水分や酸素によって劣化してしまうおそれがある。従って、本例において、成膜装置間の基板の搬入搬出は、真空雰囲気または不活性ガス雰囲気の下で行われる。
【００８９】
このようにして得られた有機ＥＬ表示装置は、発光素子ごとに発光層が精度よく形成される。従って、上記製造方法を用いれば、発光層の位置ずれに起因する有機ＥＬ表示装置の不良の発生を抑制することができる。
【００９０】
（電子デバイス製造装置）
図９に、電子デバイス製造装置の一例示す。図９に示すように、複数の成膜装置１１１〜１１４と、搬送室１１０と、を有する。搬送室１１０内には、基板５を保持し搬送する搬送ロボット１１９が設けられている。搬送ロボット１１９は、例えば、多関節アームに、基板を保持するロボットハンドが取り付けられた構造をもつロボットであり、各成膜室への基板５の搬入／搬出を行う。製造装置は、成膜装置を４つ以上有していても良いし、他の処理を行う処理室がさらに連結されていても良い。各成膜装置として、本発明にかかる成膜装置を好適に用いることができる。成膜源の一連の動作は、不図示の制御部によって制御されるが、制御部は成膜装置ごとに設けてもよいし、１つの制御部が複数の成膜装置を制御してもよい。
【００９１】
搬送ロボット１１９との基板５の受け渡し、基板５とマスクの相対位置の調整（アライメント）、マスク上への基板５の固定、成膜などの一連の成膜プロセスは、不図示の制御部によって自動で行うことができる。各成膜装置は、成膜源の違いやマスクの違いなど細かい点で相違する部分はあるものの、基本的な構成（特に基板の搬送やアライメントに関わる構成）はほぼ共通している。
【００９２】
電子デバイスとして前述した有機ＥＬパネルを製造する場合、正孔輸送層までが形成された基板を搬送室１１０に搬入する。そして、成膜装置１１１〜１１５のそれぞれで、赤色を発する発光層、緑色を発する発光層、青色を発する発光層、電子輸送層を順次成膜するとよい。
【００９３】
以上説明したように、本発明にかかる受け爪２６を有するアライメント装置１および成膜装置を用いれば、電子デバイスなどの製造する際、アライメント工程の途中に基板５が破断するのを抑制することができる。その結果、製品の収率が向上し、製造コストの削減を期待することができる。
【符号の説明】
【００９４】
５  基板
６  マスク
８  基板保持部
９  マスク保持部
１０  Ｚ昇降スライダ
１１  回転並進機構
１２  基板保持シャフト
１３  Ｚ昇降ベース
２５  保持ベース
２６  受け爪
２７  クランプ
２８  クランプユニット
３２  クランプスライダ
３４  駆動シャフト
３６  電動シリンダ
【図１】
2019019369.tif 000003
【図２】
2019019369.tif 000004
【図３】
2019019369.tif 000005
【図４】
2019019369.tif 000006
【図５】
2019019369.tif 000007
【図６】
2019019369.tif 000008
【図７】
2019019369.tif 000009
【図８】
2019019369.tif 000010
【図９】
2019019369.tif 000011